Podtech/llm-jp-corpus-v4-ja_patent huggingface dataset:
(57)【要約】【課題】木、金属、プラスチックなどを切断するだけではなく、ガラス板も切断できるようにガラス板切断用ローラを取り付けたノコギリを提供する。【解決手段】ハンドル部とハンドル部上部に取り付け前方に延びる弓状フレーム部と、ハンドル部の下前方部と弓状フレーム部の前端部との間に取り付けた切断刃とからなり、フレーム部の前端部およびハンドル部の下方後端部に凹部が形成されて、上記凹部に円形の切断用ローラが付き、固定ピンで回転可能なように固定されて、上記ハンドルの下部分には切断されたガラスを割るためのガラス板切断用ローラを前後方向に回転可能に設け、ハンドル部の下端部に切断線の入れられたガラス板を割るための複数のガラス板切断用溝部を設けた、ガラス板切断用ローラ付ノコギリ。【選択図】 図１
0003173605.tif 000002
【実用新案登録請求の範囲】
【請求項１】
ハンドル部とハンドル部上部に取り付け前方に延びる弓状フレーム部と、ハンドル部の下前方部と弓状フレーム部の前端部との間に取り付けた切断刃とからなり、フレーム部の前端部およびハンドル部の下方後端部に凹部が形成されて、上記凹部に円形の切断用ローラが付き、固定ピンで回転可能なように固定されて、上記ハンドルの下部分には切断されたガラスを割るためのガラス板切断用ローラを前後方向に回転可能に設け、ハンドル部の下端部に切断線の入れられたガラス板を割るための複数のガラス板切断用溝部を設けた、ガラス板切断用ローラ付ノコギリ。
【請求項２】
請求項１において、上記ガラス板切断用溝は、厚さが互いに異なるガラス板を折れるように幅の異なる複数のガラス板切断用溝としたことを特徴とする上記ガラス板切断用ローラ付ノコギリ。
【考案の詳細な説明】
【技術分野】
【０００１】
本考案は、ガラス板切断用ローラが付いたノコギリに関し、より詳しく述べると、フレーム部及び／またはハンドル部とにガラス板切断用ローラを付け、ハンドルの下端部にガラス板を割るための複数個の幅の異なるガラス板切断用溝を形成したガラス板切断用ローラ付ノコギリに関する。
【背景技術】
【０００２】
従来のノコギリはハンドル部と、ハンドル部上部に取り付け前方に延びる弓状フレーム部で構成されており、ハンドルの下端部とフレームの先端部との間にのこぎり刃を装着・固定して、木、金属、プラスチック等を切断する構成になっている。しかし、従来のノコギリは木、金属、プラスチックなどを切断するだけの用途に制限されていた。
【考案の概要】
【考案が解決しようとする課題】
【０００３】
上記の欠点を解決するために、本考案は、木、金属、プラスチックなどを切断するだけではなく、ガラス板も切断できるようにガラス板切断用ローラを取り付けたノコギリを提供することを目的とする。
【課題を解決するための手段】
【０００４】
上記目的を達成するため、本考案のガラス板切断用ローラ付ノコギリは、ハンドル部とハンドル部上部に取り付け前方に延びる弓状フレーム部と、ハンドル部の下前方部と弓状フレーム部の前端部との間に取り付けた切断刃とからなり、フレーム部の前端部およびハンドル部の下方後端部に凹部が形成されて、上記凹部に円形の切断用ローラが付き、固定ピンで回転可能なように固定されて、上記ハンドルの下部分には切断されたガラスを割るためのガラス板切断用ローラを前後方向に回転可能に設け、ハンドル部の下端部に切断線の入れられたガラス板を割るための複数のガラス板切断用溝部を設けたことを特徴とする。
【考案の効果】
【０００５】
上記構成を取る本考案に係るノコギリでは、従来同様に木、金属、プラスチックなどを切断可能であるばかりではなく、ガラス板も簡単に切断ができる効果がある。
【図面の簡単な説明】
【０００６】
【図１】本考案に係るガラス切断用ローラが付いたノコギリの一実施態様の斜視図である。
【図２】図1のＩＩ−ＩＩ線に沿って切断したノコギリの先端部に付いているガラス切断用ローラを示す底面図である。
【図３】図1のＩＩＩ−IＩＩ線に沿って切断したノコギリの後端部に付いているガラス切断用ローラを示す底面図である。
【図４】ガラス板切断用ローラの側面図である。
【図５】ガラス板切断用ローラを取り付けるピンを示す平面図である。
【考案を実施するための形態】
【０００７】
以下に本考案について詳細に説明する。
図１において、本考案のガラス板切断用ローラ付ノコギリは、弓状フレーム部１がハンドル部２の上部に取り外し可能に取り付けられ前方に延び、ハンドル部２の下前方部と弓状フレーム部１の前端部との間に切断刃が取り外し可能に取り付けられ、木、金属、プラスチックなどを切断することができるようになっている。フレーム部１の前端部とハンドル部２の下方後端部にガラス板切断用の円形ローラ３，６を前後方向に回転可能に設けている。ローラ３，６の外周中央部にはガラス板の表面に切断線を引く切り欠き部が設けられている。ハンドル部２は下方に曲線的に膨らんだ下端部を有し、下端部の外下面には幅が後方から前方に向け順次広くなる６本のガラス板切断用溝部９が設けられている。６本のガラス板切断用溝部９の幅を後方から前方に向け順次広くしているので、厚さに応じて切断用溝部を選択することにより、薄いガラス板から厚いガラス板まで切断することが可能となる。
【０００８】
図２は図1のＩＩ−ＩＩ線に沿って切断したノコギリの先端部に付いているガラス切断用ローラを示す底面図であり、図３は図1のＩＩＩ−IＩＩ線に沿って切断したノコギリの後端部に付いているガラス切断用ローラを示す底面図である。フレーム部１の先端部とハンドル２の下後端部にはローラ３、６を装着するための凹部４，７が形成されており、凹部４，７には円形のローラ３，６が差し込まれ、固定ピン５，８により回転可能にフレーム部１の先端部とハンドル２の下後端部に固定されている。
【０００９】
本考案に係るガラス板切断用ローラ付ノコギリでは、フレーム部の前端部あるいはハンドル部の下方後端部のガラス板切断用の円形ローラ３，６を用いて、ガラス板表面に切り欠き線（切断線）を引き、下端部の外下面の適当なガラス板切断用溝部９を選んでガラス板端部を挿入し、ガラス板に曲げ応力を掛けることによって切り欠き線（切断線）に沿ってガラス板を切断することが可能となる。
【００１０】
本考案は、記載した具体的な実施例を詳細に説明したが、本考案の技術思想の範囲内で様々な変形及び修正ができるのは明らかであり、このような変形及び修正も実用新案登録請求の範囲に属することは明らかである。
【符号の説明】
【００１１】
１・・・フレーム、２・・・ハンドル、３、６・・・ローラ、４、７・・・凹部、５、８・・・固定ピン、９・・・ガラス板切断用溝
【図１】
0003173605.tif 000003
【図２】
0003173605.tif 000004
【図３】
0003173605.tif 000005
【図４】
0003173605.tif 000006
【図５】
0003173605.tif 000007
(57)【要約】      （修正有）【課題】軟式庭球ラケットにガットを張るときに、ラケットのフレームの側面に開いた挿通孔からガットの先端部分が挿入しやすい、ラケットを固定する軟式庭球ラケット専用の固定台を提供する。【解決手段】互いに交わる２本の棒状の各先端部に設けられた可動固定金具で軟式庭球ラケットのフレームを外枠から支え、絞めねじによって固定する。【選択図】図１
0003173671.tif 000002
【実用新案登録請求の範囲】
【請求項１】
互いに交わる２本の棒（１）状の各先端部に可動固定金具（２）を設け、可動固定金具（２）をラケットのフレーム（５）上を移動、スライドさせ固定することができる軟式庭球ラケットの専用固定台。
【考案の詳細な説明】
【技術分野】
【０００１】  本考案は、軟式庭球ラケットのガットを張るための専用固定台に関するものである。
【背景技術】
【０００２】  従来のガット張り機は、ガットを張る際、ラケット等を平行に固定した状態で作業を行うのが知られているが、ワークテーブルを自在に傾斜させることにより使用者の使い易さ（特許文献１）を求めたものがある。
【先行技術文献】
【特許文献】
【０００３】
【特許文献１】特開２００８−１７８４３５号公報
【考案の概要】
【考案が解決しようとする課題】
【０００４】  軟式庭球ラケットの楕円形の型をしたフレームに網目状のガット面を締め具を使い仕上げていく工程で、ラケットが固定されていないため不安定となり、ガットの張りずらさに問題があった。
【課題を解決するための手段】
【０００５】  互いに交わる２本の棒（１）状の各先端部に設けられた可動固定金具（２）で、ラケットのフレーム（５）を外枠から支え、絞めねじ（３）によって固定する。
【考案の効果】
【０００６】  本考案を使用することによって、固定されたラケットのフレームの側面に開いた挿通孔からガットの先端部分が挿入しやすく、一定方向に引き締める力が安定して得られ、網目状となるガット面をスムーズに仕上げることができる。
【図面の簡単な説明】
【０００７】
【図１】本考案の専用固定台の使用状態を示す斜視図
【図２】本考案の専用固定台の平面図
【考案を実施するための形態】
【０００８】  以下、本考案の実施の形態を説明する。
互いに交わる２本の棒（１）状の各先端部には可動固定金具（２）を設け、可動固定金具（２）でラケットのフレーム（５）を支え、絞めねじ（３）により固定することによってガットの先端部分を挿入しやすく、また、締め具での引っ張り力を安定して得ることができる。
本考案は以上の構成よりなる。
本考案を使用する場合は、床上に支える脚（４）の上面に互いに交わる２本の棒（１）状の各先端部に設けられた可動固定金具（２）で楕円形の型をしたラケットのフレーム（５）を外枠より支え固定、フレーム（５）の側面に開いた挿通孔からガットの先端部分を挿入し、締め具で十分な張力を与えガット面を仕上げていく工程で可動固定金具（２）は、ラケットのフレーム（５）上を移動できるよう互いに交わる２本の棒（１）状の先端部に設けられた可動固定金具（２）を棒（１）状に沿ってスライドさせる。
【符号の説明】
【０００９】１棒
２可動固定金具
３絞めねじ
４脚
５フレーム
【図１】
0003173671.tif 000003
【図２】
0003173671.tif 000004
(57)【要約】      （修正有）【課題】広範囲で日光を遮断し紫外線を低減する日傘を提供する。【解決手段】下端に握柄８を有する主軸３と、この主軸の上端に結束保持されると共に、放射状に開脚する親骨と、この親骨に張られる傘布６とで成し、而も親骨を広げた際、前記傘布の外周縁から垂下すると共に、可視性を要し紫外線遮蔽効果を施した前垂片７を備えたことを特徴とする傘。【選択図】図１
0003173678.tif 000002
【実用新案登録請求の範囲】
【請求項１】
下端に握柄を有する主軸と、この主軸の上端に結束保持されると共に、放射状に開脚する親骨と、この親骨に張られる傘布とで成し、而も親骨を広げた際、前記傘布の外周縁から垂下すると共に、可視性に富んだ前垂片を備えたことを特徴とする傘。
【請求項２】
前記前垂片は、傘布と共に、一連に紫外線遮蔽加工を施したことを特徴とした請求項１記載の傘。
【請求項３】
前記前垂片は、傘布縁部に縫い付け、留め具等にて取付けたことを特徴とした請求項または２に記載の傘。
【請求項４】
前記前垂片は、傘布外表面をレース生地で覆い、而も延長し敵量垂下させることを特微とした請求項または２に記載の傘。
【考案の詳細な説明】
【技術分野】
【０００１】  本考案は、直射日光を減光させる日傘に関する。
【背景技術】
【０００２】  一般的に初春から晩秋までの間、日差しを浴びることで、肌の老化を招きシミ・しわの原因に成るばかりでなく、太陽光中に存在する有害紫外線が問題になっており、この紫外線の中でも波長280〜315nmの紫外線はオゾン層の破壊の影響をもっとも強く受け、肌表面に強く作用し赤く炎症を起こすほか、皮膚癌や白内障などの疾患を引き起こす原因にもなっている。【０００３】  紫外線が皮膚に及ぼす悪影響から日傘を差して頭部を保護る人が増加する背景がある中、折角日傘を差していても傘布部分だけの遮蔽では、頭部全体を覆いきれず、顔半分程度は日光を浴びている状態であった。【０００４】  従来の日傘には、紫外線遮蔽策として、傘布に特殊合成繊維を使用する又は、傘布表面に樹脂加工を施す等により紫外線遮蔽性機能を付与しているものが多く販売されている。
【先行技術文献】
【特許文献】
【０００５】
【特許文献１】特開２００３−１８０４２５号公報
【考案の概要】
【考案が解決しようとする課題】
【０００６】  日傘は、日光から頭部を保護する為のものであるが、日傘を差している状態であっても、充分に頭部を覆いきれず、顔半分程度は日光を浴びている状態であった。【０００７】そこで、本考案は、広範囲で日光を遮蔽し紫外線を低減することを目的に提案されたものである。
【課題を解決するための手段】
【０００８】  本考案は、下端に握柄を有する主軸と、この主軸の上端に結束保持されると共に、放射状に開脚する親骨と、この親骨に張られる傘布とで成し、而も親骨を広げた際、前記傘布の外周縁から垂下すると共に、可視性に富んだ前垂片を備えたことを特徴としたものである。【０００９】  更に本考案は、傘布、前垂片共に紫外線遮蔽加工を施したことを特徴としたものである。【００１０】  又本考案は、前垂片を、傘布縁部に縫い付け、留め具等にて取付けたことを特徴としたものである。【００１１】  更に本考案は、前垂片を、傘布外表面をレース生地で覆い、且つ傘布縁部分より延長し敵量垂下させることを特微としたものである。【００１２】  以上のように構成された本考案に係る傘によれば、傘布の外周部に垂下する前垂片が一周設けられ、傘布部分に前垂片が結合拡張されることにより、広範囲に紫外線を遮蔽し低減することができる。
【考案の効果】
【００１３】(１)請求項１により、親骨を開脚した際、前記傘布の外周縁から垂下すると共に、傘布より可視性に富んだ前垂片を備えたことで、視界が保持され安全性を備える。  更に傘布の外周部に垂下する前垂片が一周に設けられると共に、傘布部分に前垂片が結合拡張されることにより、広範囲に紫外線を遮蔽し低減することができる。【００１４】(２)請求項２により、傘布は、前垂片共に一連に紫外線遮蔽加工を施しているので、日傘全体で紫外線低減効果を高めると共に、広範囲で紫外線を遮蔽し、頭部をより一層保護することができる。【００１５】(３)請求項３により、前記前垂片は傘布と別異の材料を選択でき、紫外線遮蔽により適する材料を自在に選択できる。【００１６】(４)請求項４により、前垂片は、傘布外表面をレース生地で覆い、而も延長し適量垂下させて前垂片を形成することで傘全体の統一感があり、見た目にもお洒落な傘になる。
【考案を実施するための形態】
【００１７】  本考案を図面に基づき説明すると、図１は傘１を示す斜視図であって、下端に握柄８を有する主軸３と、この主軸３の上端に結束保持されると共に、放射状に開脚する親骨４と、この親骨４に張られる傘布６とで成し、而も親骨４を広げた際、前記傘布６の外周縁6aから垂下すると共に、可視性に富んだ前垂片７を備えたことを特徴とする傘。
【００１８】  この紫外線の低減としては、例えば黒色又は暗色加工処理したレース生地、或いは合成繊維の任意のものを使用する。
【００１９】  以上のように構成された本考案に係る傘１によれば、前垂片材質等は特に限定されるものではないが、可視性を要し且つ紫外線遮蔽加工を施した素材が適している。
【００２０】  図５が示すように、傘布６の全体を覆い、而も延長し適量垂下させて前垂片７を形成することを示す図である。
【００２１】  図６が示すように、前垂片７を傘布縁部６aに例えば糸による縫いつけ、又は留め具１２で取付ける等の方法で傘布縁部６aに接合する場合を示す図である。
【図面の簡単な説明】
【００２２】
【図１】本考案にかかる傘の斜視図
【図２】傘背面図
【図３】傘側面図
【図４】傘底面図
【図５】部分拡大断面図
【図６】同上の異なる実施例を示す部分拡大断面図
【符号の説明】
【００２３】  １    傘本体  ２    石突き  ２a  先端部  ３    主軸  ４    親骨  ５    受骨  ６    傘布  ６a  傘布縁  ７    前垂片  ８    握柄  ９    留め具  １０  上はじき  １１  下はじき  １２  露先       
【図１】
0003173678.tif 000003
【図２】
0003173678.tif 000004
【図３】
0003173678.tif 000005
【図４】
0003173678.tif 000006
【図５】
0003173678.tif 000007
【図６】
0003173678.tif 000008
(57)【要約】      （修正有）【課題】蓋にスパーテルを付けることにより、スパーテルをクリームの中に入れたまま蓋を出来るようにしたスパーテル付き化粧容器を提供する。【解決手段】化粧品のクリームのビンの蓋１の裏の中央部分に垂直下方向にスパーテルを取りつける。使用する時は、蓋を外し、蓋裏に設けられたスパーテルに付着しているクリームを手の平か甲に乗せ付け、そのまま蓋を戻したら、あとは普通に手に乗せ付けてあるクリームを用いてお化粧作業をする。スパーテル先端部２は、ハート型など様々な可愛いデザインが考えられる。【選択図】図１
0003173672.tif 000002
【実用新案登録請求の範囲】
【請求項１】
化粧品のクリーム容器の蓋の内側（裏側）中央に、垂直下方向にスパーテルを取り付けたことを特徴とするスパーテル付き化粧容器。
【考案の詳細な説明】
【技術分野】
【０００１】  本考案は蓋にスパーテルを付けた化粧容器に関するものである。
【背景技術】
【０００２】  従来の化粧品のクリームはスパーテルが別に付属して売られているが、その置き場所にも困るし、中に入れてしまうと蓋が出来ない。直接指でクリームを取ると綺麗にネイルした爪の間に入り不便である。
（特許文献１参照）
【先行技術文献】
【特許文献】
【０００３】
【特許文献１】    特開２００１−１９７９３２
【考案の概要】
【考案が解決しようとする課題】
【０００４】  イ、従来の容器ではクリームを取る時、長く伸ばした爪の間にクリームが付く。
ロ、付属のスパーテルでクリームを取るとその後の置き場所に困る。
ハ、付属のスパーテルをクリームの中に入れておくと、蓋が出来なかったり、中に入ってしまい結局クリームが爪の間に付く。
本考案は、これらの問題点を解決するためになされたものである。
【課題を解決するための手段】
【０００５】  化粧品のクリーム容器の蓋の内側（裏側）中央に垂直下方向にハート型等のスパーテルを取り付ける。
以上を特徴とするスパーテル付き化粧容器である。
【考案の効果】
【０００６】  容器の中のクリームを直接指で取ると不衛生でもあるし、綺麗にネイルをした長い爪の間に入ってしまうからスパーテルを使わざるを得ないのであるが、本考案においては、蓋を外せば自動的にスパーテルにクリームが付着しているので、別個にスパーテルを用意していなくても、蓋を持ったまま衛生的にクリームを取り出すことができ、そのまま蓋を戻して、即化粧作業が始められる。簡単な一連の動作で化粧作業が完結し、スパーテル管理に気を使う必要もない。
【図面の簡単な説明】
【０００７】
【図１】  本考案の分解斜視図
【考案を実施するための形態】
【０００８】  以下、本考案の実施の形態を説明する。
化粧品のクリームのビンの蓋（１）の裏の中央部分に垂直下方向にスパーテルを取りつける。
本考案は、以上のような構成で、これを実際に使用する時は、蓋を外し、蓋裏に設けられたスパーテルに付着しているクリームを手の平か甲に乗せ付け、そのまま蓋を戻したら、あとは普通に手に乗せ付けてあるクリームを用いてお化粧作業をする。スパーテル先端部（２）は、ハート型など様々な可愛いデザインが考えられる。
【符号の説明】
【０００９】  （１）蓋                  （２）スパーテルの先端部
【図１】
0003173672.tif 000003
(57)【要約】      （修正有）【課題】バターホルダーを手に持って、適量のバターをパンなどに万遍なく均一に塗り、使用後はキャップをするだけでバターを収納することができるバターホルダーを提供する。【解決手段】紙に包まれたままのバターをホルダー内１に入れ、１回に使用する量だけのバターを入口２から前に出し、上蓋３を、ホルダーと上蓋の境界部分に設けたスリット４により、且つ本体入口の外側の側面５を利用して本体ホルダーに閉め、さらに上蓋内にホルダー側面に平行に設けた１ｃｍ程度の長さの半円状の突起部６によりバターを固定し、入口２から前に出ているバターの包み紙を入口２のエッジ部分を利用して破き、しかる後に手でホルダーを持ってパンなどに塗り、使用後は、そのままキャップ７を入口２に装着して蓋をする。【選択図】図１
0003173677.tif 000002
【実用新案登録請求の範囲】
【請求項１】
バターを入れるホルダー本体に、バターを固定する０．０１ｍ（１ｃｍ）程度の長さの半円状の突起部分をホルダー側面に平行な向きに有する開閉式の上蓋を設けるとともに、１回に使用する分だけのバターをホルダーの入口部分から前に出し、その入口のエッジ部分を利用して使用するバターの包み紙を破り、手でホルダーを持ってパンに塗り、且つ使用後は入口部分にキャップをして、上蓋部分には本体中のバター残量を確認できるように空間部分を設けて収納することを特徴とする、塗り機能付バターホルダー。
【考案の詳細な説明】
【技術分野】
【０００１】  本考案は、バターを手で握って、パンなどの食品に塗る機能の付いたバターホルダーに関するものである。
【背景技術】
【０００２】  従来、市販のバターをパンなどの食品に塗る場合、バターの包み紙を開けて、バターの一部をバターナイフで採り、それをパンなどに塗っていた。
【考案の概要】
【考案が解決しようとする課題】
【０００３】  従来のバターの塗り方では、バターを適量パン表面に均一に塗りにくく、特にバターを保管する冷蔵庫から出してすぐ塗る時は、バターが硬いため、バターナイフでバターをうまく塗りづらい、という難点があった。また、使用後に残ったバターを包装紙で包みバターケースに戻し、使用したバターナイフを洗う必要があるという煩雑さがあった。
【課題を解決するための手段】
【０００４】  本考案は、紙に包まれたままのバターをバターホルダーに入れ、使用する量だけのバターをホルダーの入り口から前に出し、突起部がつき、且つバターホルダー内のバター量を目で確認出来るよう空き部分のある上蓋をかぶせることによりバターを固定し、入り口からホルダーの前に出ているバターの包み紙を入り口のエッジ部分を利用して破き、手でバターホルダー部分を持ってパンなどに塗り、また使用後はバターホルダーをキャップで入り口に装着して保管することにより問題点を解決している。
【考案の効果】
【０００５】  上述の様に、本考案の塗り機能付バターホルダーは、バターを保管することは勿論、使用する際はバターホルダーのキャップをはずし、バターを直に手で持って適量塗ることができるので、従来のようにバターをケースから出してバターナイフで採って塗るという煩雑さや塗りにくさがなく、また使用後のバターナイフを洗浄する手間と無駄な汚水の発生もなく、食生活の改善に役立ち、環境衛生の面からも好ましい。
【図面の簡単な説明】
【０００６】
【図１】本考案の塗り機能付バターホルダーの実施例を示す全体図である。
【考案を実施するための形態】
【０００７】  バターホルダーの材質はプラスチックスが好ましい。上蓋とホルダーの境界部分にプラスチックの厚みの中程までスリットを入れ、上蓋を開閉しやすくし、ホルダー側面は外側部分を高くして上蓋を閉めた時に内側にしっかりはまりやすくする。又、バターをホルダー内に入れて塗る際に、バターがずれないように上蓋内部にホルダー側面と並行に０．０１ｍ（１ｃｍ）程度の長さの半円状の突起部を１ヶ所設ける。また上蓋にはホルダー内にあるバターの残量がわかるように空き部分を設ける。実際に塗る時は、塗る部分のバターに包まれた包み紙を入口の内側のエッジ部分を利用して破り取り、バターホルダーを手に持ってバター表面をパン表面に接触させ塗るので、必要量だけを均一にパン全体に万遍なく塗ることが出来る。
【実施例】
【０００８】  以下、添付図に従って一実施例を説明する。図１は耐久性のプラスチックスにて一体化形成されたバターホルダーの全体図である。１は内容量１００ｇ程度の紙に包まれたままのバターを入れる部分で、２の入口から前に１回に使用する分量だけのバターを出し、３の上蓋を１にかぶせる。上蓋とホルダーの境界部分４はプラスチックの厚みの中程までスリットを入れ上蓋を開閉しやすくし、ホルダー側面は外側部分５を高くして上蓋を閉めた時に内側にはまりやすくする。また上蓋内にはホルダー側面と平行の向きに０．０１ｍ（１ｃｍ）程度の長さの半円状の突起部６がついているのでバターをホルダー内にしっかり固定してずれないようになる。そして入口２から前に出ているバター部分の包み紙を２のエッジ部を利用して破り取り、バターホルダーを手に持ってバター表面をパン表面に接触させ塗る。これにより必要量だけのバターを容易にパン全体に万遍なく均一に塗ることができる。【０００９】  使用後は、そのままバターホルダーの２部分にキャップ７をして収納される。また上蓋には８の空き部分があるので、使用前にホルダー内のバターの残量が確認できる。
【符号の説明】
【００１０】１  バターホルダー本体
２  バターホルダーの入口
３  バターホルダーの上蓋
４  上蓋を開閉するスリット
５  バターホルダー側面の外側部分
６  バターを押える突起部分
７  バターホルダーのキャップ
８  上蓋の空間部分
【図１】
0003173677.tif 000003
(57)【要約】      （修正有）【課題】横幅を狭くしても転倒しにくい山型の階段昇降運動器具を提供する。【解決手段】山型の運動器具本体１の側面に出っ張り２を付ける。【選択図】図３
0003173636.tif 000002
【実用新案登録請求の範囲】
【請求項１】
階段昇降運動をするための山型の階段昇降運動器具で、横幅を狭くしても転倒しにくくするために側面に横への転倒防止用出っ張りがついている台
【考案の詳細な説明】
【技術分野】
【０００１】  本考案は、段差のある山型の階段昇降運動器具の安全性に関するものである。
【背景技術】
【０００２】  リハビリテーションなどで使われる山型の階段昇降運動器具は横幅を狭くすると横へ転倒するおそれがあるので、横へ転倒しにくいように横幅が広くなっている。
【考案の概要】
【考案が解決しようとする課題】
【０００３】  山型の階段昇降運動器具は横幅が広いために、室内などの狭い場所では設置しにくい。そこで、横幅を狭くしても横へ転倒しにくい山型の階段昇降運動器具を作ることで狭い場所でも設置しやすくして、前述の欠点を解決しようとするものである。
【課題を解決するための手段】
【０００４】  本考案は、側面に出っ張りを付けることで、横幅を狭くしても横へ転倒しにくい山型の階段昇降運動器具を作り、問題点を解決している。
【考案の効果】
【０００５】  上述のように、側面に出っ張りがあることで横への転倒を防ぎながら横幅を狭くすることができ、室内などの狭い場所でも設置することができるようになる。
【図面の簡単な説明】
【０００６】
【図１】  山型の運動器具の側面の出っ張りを示した平面図である。
【図２】  山型の運動器具の側面の出っ張りを示した正面図である。
【図３】  側面の出っ張りの形状はＡ、Ｂ、Ｃのように様々であることを示した平面図である。
【考案を実施するための形態】
【０００７】  出っ張りの大きさや材質や設置方法は問わない。底板兼用として本体の下に取り付けることもできるし、本体の側面に付けることもできる。
【実施例】
【０００８】  添付図面の図１では、底板兼用として出っ張りを本体の下に取り付けている。そのため、図２の１段目全体の段差は、底板の厚さと本体の高さを合わせた段差になっている。
【符号の説明】    １  山台本体
２  側面の出っ張り
【図１】
0003173636.tif 000003
【図２】
0003173636.tif 000004
【図３】
0003173636.tif 000005
【手続補正書】
【提出日】平成23年11月9日(2011.11.9)
【手続補正１】
【補正対象書類名】実用新案登録請求の範囲
【補正対象項目名】全文
【補正方法】変更
【補正の内容】
【実用新案登録請求の範囲】
【請求項１】
階段昇降運動をするための山型の階段昇降運動器具で、山型の階段昇降運動器具の横幅を狭くしても、山型の階段昇降運動器具が横向きに転倒するのを防ぐために、山型の階段昇降運動器具の側面に横向き転倒防止用出っ張りがついている山型の階段昇降運動器具。
(57)【要約】      （修正有）【課題】障碍あるいは傷病により長期療養を強いられ、臀部筋力の衰えと共に相対的に尾てい骨の隆起が見られる状態で排便あるいは排尿のため洋式便座に座っても、尾てい骨が直接便座に当たらず、痛みを緩和することができる便座を提供する。【解決手段】便座後方の尾てい骨が当たる部分を凹状に形成して、尾てい骨が直接便座に当たらない形状にする。【選択図】図１
0003173632.tif 000002
【実用新案登録請求の範囲】
【請求項１】
便座の後方尾てい骨の当たる部分を凹状に形成し、尾てい骨が直接当たらない形状にすること。
【考案の詳細な説明】
【技術分野】
【０００１】
便座の形状
【先行技術文献】
【特許文献】
【０００２】
【特許文献１】特許公開2008-061777
【考案の概要】
【考案が解決しようとする課題】
【０００３】
障碍あるいは傷病により長期療養を強いられると、臀部筋力の衰えと共に相対的に尾てい骨の隆起が見られる。
この状態で様式便座に座ると、尾てい骨が便座に当たり激しい痛みが発生し耐え難い苦痛となる。
【課題を解決するための手段】
【０００４】
障碍者および、傷病者の苦痛を緩和するためには、便座後方（尾てい骨が当たる部分）に１センチ程度の凹みをつけることにより、直接尾てい骨が便座に当たらないようにする。
【考案の効果】
【０００５】
尾てい骨が相対的に隆起した障碍者あるいは傷病者が排便・排尿する時に、尾てい骨が便座に直接当たらず、苦痛が解消される。
【図面の簡単な説明】
【０００６】
【図１】便座後方の尾骨が当たる部分を凹状に形成した形状を表示。図１では、既存の便座の後方（尾てい骨の当たる部分）を削り凹みをつくり、黒く彩色したもの。
【考案を実施するための形態】
【０００７】
便座後方（尾てい骨が当たる部分）の形状を１センチ程度凹に形成し、尾てい骨の当たりを無くする。
【実施例】
【０００８】
この便座は主に病院や介護施設・障碍者用のトイレに設置して、該当者の苦痛を緩和する。
【産業上の利用可能性】
【０００９】
便座の後部（尾てい骨が当たる部分）を尾てい骨が直接当たらないように１センチ程度凹状に形成する。この形状は、健常者もなんら違和感なく使用出来るものであり、全ての便座に適用出来るユニバーサルデザインでもある。
【図１】
0003173632.tif 000003
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
便座の後方尾てい骨の当たる部分を凹状に形成し、尾てい骨が直接便座に当たらない形状にして尾てい骨の苦痛を解消する無痛便座。
(57)【要約】      （修正有）【課題】発電装置を川面に浮かべ、無限に流れつづける水の流れを利用し、水力で安定的に電力を供給できるドラム式水車筏発電装置を提供する。【解決手段】河川における水の流れを利用し、水位の変化に対応できるドラム式水車筏６に装備されたドラム水車８を原動力として車軸９からデフ１０、デフからシャフト１１に伝達された回転力で発電機１２を作動させて発電する。ドラム式水車筏内で発電された電力を送電線により支柱へ送り、支柱より陸地の外部送電線に接続し電力を供給する。【選択図】図１
0003173631.tif 000002
【実用新案登録請求の範囲】
【請求項１】
ドラム式水車
水車の構造はドラムに羽根をつけた浮動式として浮力を得る構造とし、単体に於いても浮力を得る。
【請求項２】
ドラム式水車筏
本体の船にドラム式水車を装着し、発電機を載せて船内にて発電する筏。
【考案の詳細な説明】
【技術分野】
【０００１】イ、水車本体の中心部をドラムに羽根をつけた形にし、流れ来る水流の力を逃がす事なく羽根とドラムで受け止めて軸トルクに変えるとともにドラムによって浮力を得られる浮き水車とする。
ロ、固定水車では水位によって動力を得られなくなるので船形として川の水位が変化しても対応できる。
ハ、船形にする事でドラム水車の数を増すこともでき、ドラム水車本体の幅を広げることで回転力、トルクを増幅できる。
ニ、ドラム式水車筏は連結することで発電力を増やすことができる。
ホ、自動方向舵を着けることで横風を受けても、反作用の力を水中にて得られ水流に対して直進性が確保できる。
【背景技術】
【０００２】水車発電においては、陸地で水車小屋を設置して発電したり、別途水を取り入れて落差を利用して水車を回して発電する固定方法です。
【先行技術文献】
【特許文献】
【０００３】
【特許文献１】
【特許文献２】
【非特許文献】
【０００４】
【非特許文献１】  特開２０１１−９４６０２  水車式潮力発電イ、水車式潮力発電は、潮の満ち引きを利用するもので常時安定した電力を得られない問題点がある。
ロ、水車本体は水に浮く構造ではなく従来の水車の構造を利用したもので、水車の構造には拘りは無いもので、本件のドラム式水車とは異なるもの。
ハ、本件のドラム式水車筏は河川に設置するもので、特開２０１１−９４６０２は海に設置する考えで全く異なるもの。
【考案の概要】
【０００５】我が国には多くの川が在ります。この川を利用して自然環境の中で一年中発電が出来、尚且つ安全で安定的に電力を供給が可能となり広く社会に貢献できるもと確信するものです。
河川における水の流れを利用し、水位の変化に対応できるドラム式水車筏に装備されたドラム水車を原動力として車軸からデフ、デフからシャフトに伝達された回転力で発電機を作動させて発電するものです。
ドラム式水車筏内で発電された電力を送電線により支柱へ送り、支柱より陸地の外部送電線に接続し電力を供給するという方法のものです。
【考案が解決しようとする課題】
【０００６】イ、原子力発電における高温、爆発、放射能汚染等、危険性の回避。
ロ、火力発電によるＣＯ２の排出、燃料調達のコスト削減。
ハ、水力発電に必要なダム建設の回避。
ニ、太陽光発電装置に於ける施設建設コストの削減。
ホ、風力発電による騒音、振動の回避。
【課題を解決する為の手段】
【０００７】イ、国内の河川における水の流れによる自然エネルギーを利用する。
ロ、ドラム式水車と発電機という極めてシンプルな低コストでできる。
【考案の効果】
【０００８】イ、このドラム式水車筏を水面に浮かし連ねる事で常時安定した電力が得られる。
ロ、このドラム式水車筏を水面に敷き詰め小さな電力を数で賄う事ができる。
ハ、自然の力により電力を生み出せる極めて価値のある考案と確信できる。
ニ、メンテナンスに於いては高度な技術や専門知識も必要がなく、管理に携わる雇用が促進される。
【図面の簡単な説明】
【０００９】
【図１】  平面図
【図２】  側面図
【図３】  全体図
【考案を実施する為の形態】
【００１０】試作をして実験
賛同を得られた企業と共同開発
【産業上の利用可能性】
【００１１】イ、電力を常時安定して発電が可能となり供給できる事となる。
ロ、山奥地で送電されない地区でも企業の生産工場で自家発電用としても利用可能となる。
【符号の説明】
【００１２】  １…  基地（電力送電とドラム式水車筏連結の支柱が建つ重要な場所。）
２…  支柱（ドラム式水車筏をつなぎ止めると共に送電線を支える柱。）
３…  コントロール・ロッド（ドラム式水車筏の流出防止と水位に対応する。）
４…  サブ・ワイヤー（万一の災害時にコントロール・ロッドが折れても水車筏が流さ        れない様、コントロール・ロッドと同様の役割をする。）
５…  継手（支柱とコントロール・ロッド、水車筏と水車筏との連結。）
６…  船（ドラム式水車と発電機を装着した水上発電所となる。）
７…  自動方向舵（横風に対して反作用の力を水中に得るもの。）
８…  ドラム式水車（ドラムに羽根をつけた浮動式で浮力を得る構造。）
９…  車軸（水車よりデフに動力を伝える。）
１０…  デフ（車軸動力の向きを変えシャフトへと伝達する。）
１１…  シャフト（デフより発電機へ動力を伝える。）
１２…  発電機（シャフトの回転力で発電する。）
１３…  船内配線（発電機により発電された電力を船首のポールまで運ぶ。）
１４…  カバー（船全体を風雨から守る。）
１５…  ポール（船内にて発電された電力を支柱へと運ぶ送電線の中継柱。）
１６…  パイロットランプ（船内での発電の有無を知らせる。）
１７…  送電線（水車筏から支柱まで電力を運ぶ線。）
１８…  外部送電線（基地の支柱より陸地への送電線。）
【図１】
0003173631.tif 000003
【図２】
0003173631.tif 000004
【図３】
0003173631.tif 000005
【手続補正書】
【提出日】平成23年9月16日(2011.9.16)
【手続補正１】
【補正対象書類名】実用新案登録請求の範囲
【補正対象項目名】全文
【補正方法】変更
【補正の内容】
【実用新案登録請求の範囲】
【請求項１】
ドラムに羽根を付けた構造とするドラム式水車、前記ドラム式水車の車軸の動力によって回転するシャフト、前記シャフトの回転力で発電機等を有するドラム式水車発電装置であって、前期発電機より発電された電力は送電線を通して船外に送電するもので、前期ドラム式水車発電装置は流出防止の基地を構築しワイヤー等で連結し水位の高低差に対応できるドラム式水車筏発電装置。
【手続補正書】
【提出日】平成23年11月14日(2011.11.14)
【手続補正１】
【補正対象書類名】実用新案登録請求の範囲
【補正対象項目名】全文
【補正方法】変更
【補正の内容】
【実用新案登録請求の範囲】
【請求項１】
ドラムに羽根を付けた構造とするドラム式水車、前記ドラム式水車の車軸の動力によって回転するシャフト、前記シャフトの回転力で発電する発電機を有するドラム式水車発電装置であって、前記発電機より発電された電力は送電線を通して船外に送電するもので、前記ドラム式水車発電装置は流出防止の基地を構築しワイヤー等で連結し水位の高低差に対応できるドラム式水車筏発電装置。
(57)【要約】      （修正有）【課題】形態が無数にある椅子やテーブル等の脚間の空きスペースを利用した物保持具を提供する。【解決手段】弾性紐状材で構成され物を載せるためのネット１と、このネット１の周囲縁に対角線上に取付けられた金具２、金具２に接続されたラバーなどの素材を使用した脚取付けベルト３で形成され、脚取付けベルト３は、椅子やテーブル等の脚Ｔを周回し金具２に接続される。【選択図】図７
0003173682.tif 000002
【実用新案登録請求の範囲】
【請求項１】
物を載せて保持するためのネットと、ネット周囲縁に接続された４つの脚取付けベルトで構成され、椅子やテーブル等の脚間の空きスペースに設置する物保持具。
【考案の詳細な説明】
【技術分野】
【０００１】本考案は椅子やテーブル等の脚間の空きスペースを利用する物保持具に関する。
【背景技術】
【０００２】従来、無数に存在する椅子やテーブル等の脚間の空きスペースを利用し、物を吊り荷の状態で保持する物保持具が無かった。
【考案の開示】
【考案が解決しようとする課題】
【０００３】形態が無数にある椅子やテーブル等の脚間の空きスペースを利用した物保持具で、脚間の長さ、空きスペース、脚の形態、取付けた物保持具が落下しないようにするなどを考慮し、また、取付け対象物に傷をつけることなく設置でき、物の出し入れが簡単にできるようにすることを解決課題とした。
【課題を解決するための手段】
【０００４】そこで、弾性力を持つネットにより脚間の長さに対応し、また、ネット周囲縁に接続された４つの脚取り付けベルトが、取付けるさまざまな脚の形態に対応し、保持する物の重力とネットの弾性力、脚と脚取り付け用ベルトの摩擦力の効果で、物保持具が脚間に固定されるのである。
【考案の効果】
【０００５】よって、本考案の物保持具によりさまざまな椅子やテーブル等の空きスペースの有効利用が可能になり、物保持具を設置したまま物の収納や取出しが楽にできる。また、脚を傷つけることなく物保持具の取付け取り外しができる。
【課題を実施するための最良の形態】
【０００６】本考案に係る物保持具は、図７に示すように、物を保持するネット１とネット１の周囲縁の対角線上に取付けられた金具２に接続された脚取付けベルト３で構成されている。ネット１は弾性紐状材で構成されている。
脚取付けベルト３の両端は環状４になっていて、一方を金具２に接続され、もう一方は支柱Ｔを周回して同じ金具２に接続される。脚取付けベルト３は両端の環状部を除いて、摩擦力を持ったラバーなどの素材を使用し支柱を滑り落ちにくくしている。
【図面の簡単な説明】
【０００７】
【図１】本考案に係る正面図である。
【図２】本考案に係る背面図である。
【図３】本考案に係る右側面図である。
【図４】本考案に係る左側面図である。
【図５】本考案に係る平面図である。
【図６】本考案に係る底面図である。
【図７】本考案に係る物保持具を支柱に取付けた状態の正面図である。
【符号の説明】
【０００８】１  ネット
２  取付け金具
３  支柱取付けベルト
４  両端の環状部
Ｔ  椅子やテーブル等の脚
【図１】
0003173682.tif 000003
【図２】
0003173682.tif 000004
【図３】
0003173682.tif 000005
【図４】
0003173682.tif 000006
【図５】
0003173682.tif 000007
【図６】
0003173682.tif 000008
【図７】
0003173682.tif 000009
(57)【要約】【課題】立体的な３Ｄ映像の如き雰囲気を醸し出し、掲示の効用を最大限に引き出す。【解決手段】方形のフレーム２内に、筆記板となる透明な導光板３を保持する。フレーム２に、導光板３にその側面から光を照射する複数のＬＥＤ発光体４、４、４・・・を取着し、掲示パネル本体１とする。フレーム２の背面に磁石６、６と磁性体８、８をもってポスター７をセットする。複数のＬＥＤ発光体４、４、４・・・を異なる発光色となすと共に、予め設定した順序で各ＬＥＤ発光体４、４、４・・・を点灯させ、又は点滅させるようにする。【選択図】図１
0003173684.tif 000002
【実用新案登録請求の範囲】
【請求項１】
方形のフレーム内に、筆記板となる透明な導光板を保持すると共に、前記フレームに、前記導光板にその側面から光を照射する複数のＬＥＤ発光体を取着した掲示パネル本体と、前記フレームの背面に適宜の保持部材をもってセットする印刷物とからなり、更に、前記複数のＬＥＤ発光体を異なる発光色となすと共に、予め設定した順序で各ＬＥＤ発光体を点灯させ、又は点滅させるようになしたことを特徴とする印刷物掲示用パネル。
【請求項２】
保持部材が、磁石とこれに磁力により吸着する磁性体である請求項１記載の印刷物掲示用パネル。
【考案の詳細な説明】
【技術分野】
【０００１】
本考案は印刷物掲示用パネルに関するものである。
【背景技術】
【０００２】
ポスター等の印刷物掲示用パネルとして従来用いられているものは、単に一枚のパネル本体の前面に印刷物を適宜の手段で張りつけるものが殆どである。
【０００３】
このような従来のパネルの場合、掲示された印刷物は平面的であり、迫力に乏しくて見るものを惹きつけることができない。
【考案の概要】
【考案が解決しようとする課題】
【０００４】
本考案は上記の点に鑑みなされたものであって、文字や図柄が描かれたポスター等の印刷物と、その前面に浮かび上がるように見える文字や図柄とが融合し、恰も立体的な３Ｄ映像の如き雰囲気を醸し出し、見るものをして目を見張らせることができ、もって掲示の効用を最大限に引き出すことができるようになした印刷物掲示用パネルを提供しようとするものである。
【課題を解決するための手段】
【０００５】
而して、本考案の要旨とするところは、方形のフレーム内に、筆記板となる透明な導光板を保持すると共に、前記フレームに、前記導光板にその側面から光を照射する複数のＬＥＤ発光体を取着した掲示パネル本体と、前記フレームの背面に適宜の保持部材をもってセットする印刷物とからなり、更に、前記複数のＬＥＤ発光体を異なる発光色となすと共に、予め設定した順序で各ＬＥＤ発光体を点灯させ、又は点滅させるようになしたことを特徴とする印刷物掲示用パネルにある。
【０００６】
また、上記構成において、保持部材としては、磁石とこれに磁力により吸着する磁性体であることが好ましい。
【考案の効果】
【０００７】
本考案は上記の如き構成であるから、文字や図柄が描かれたポスター等の印刷物と、その前面に浮かび上がるように見える文字や図柄とが融合し、恰も立体的な３Ｄ映像の如き雰囲気を醸し出し、見るものをして目を見張らせることができ、もって掲示の効用を最大限に引き出すことができるようになるものである。
【図面の簡単な説明】
【０００８】
【図１】本考案の実施形態に係る印刷物掲示用パネルの一部切欠して示した正面図である。
【図２】同背面図である。
【図３】図１中Ｉ−Ｉ線断面図である。
【図４】図３中Ａ部分の拡大図である。
【図５】同印刷物を一部剥がした状態における背面図である。
【考案を実施するための形態】
【０００９】
以下、本考案を実施するための形態について、図面を参照して説明する。
【００１０】
図中、１は印刷物掲示用パネルにおける掲示パネル本体である。２は前記掲示パネル本体１におけるアルミニウム、プラスチック等の材料からなる方形のフレームである。３は前記フレーム２内に保持する、筆記板となる透明な導光板である。また、該導光板３は、本実施形態ではガラスを用いている。
【００１１】
４、４、４・・・は前記フレーム２に取着した複数のＬＥＤ発光体であり、前記導光板３にその側面から光を照射するものである。また、該複数のＬＥＤ発光体４、４、４・・・は、異なる発光色となしている。例えば、赤色と青色を交互に配したり、この他色の数や配列は適宜に選択するものである。そしてまた、該複数のＬＥＤ発光体４、４、４・・・は、制御装置５によって予め設定した順序で点灯させ、又は点滅させるものである。例えば、赤色のＬＥＤ発光体のみを同時に一斉に点灯させ、この間は青色のＬＥＤ発光体の点灯を停止し、所定の時間経過すると今度は逆に点灯、停止させ、これを交互に繰り返したり、或いは赤色又は青色のいずれかのＬＥＤ発光体を一斉に点滅させる等の操作を行なうものである。
【００１２】
６、６は前記フレーム２の背面における上枠、左右の側枠等に取着した磁石である。７は前記フレーム２の背面にセットする印刷物としてのポスターである。８、８は該ポスター７の前面における上辺、左右の側辺に取着した磁性体であり、前記ポスター７は該磁性体８、８と前記磁石６、６をもって前記フレーム２の背面にセットされるものである。
【００１３】
次に、上記実施形態の作用について説明する。
ポスター７をフレーム２の背面にセットし、そして導光板３の前面にホワイトボード用ペンのような消去可能なインクを用いて適宜の文字や図柄９を描いた状態においてＬＥＤ発光体４、４、４・・・を点灯させると、導光板３の前面に描いた文字や図柄９が浮かび上がるように見える。そして文字や図柄１０を描いたポスター７と、その前面に浮かび上がるように見える文字や図柄９とが融合し、恰も立体的な３Ｄ映像の如き雰囲気を醸し出し、見るものをして目を見張らせることができるものである。よって掲示の効用を最大限に引き出すことができるものである。また、点灯させるＬＥＤ発光体４、４、４・・・を、予め設定した順序で点灯させ、又は点滅させるようにすることにより、導光板３に描いた文字や図柄９の色等が変化し、掲示物全体の雰囲気を変えることができるものである。また、これにより見飽きることを防ぐこともできるものである。
【符号の説明】
【００１４】
１  掲示パネル本体
２  方形のフレーム
３  透明な導光板
４、４、４・・・  ＬＥＤ発光体
５  制御装置
６、６  磁石
７  ポスター
８、８  磁性体
【図１】
0003173684.tif 000003
【図２】
0003173684.tif 000004
【図３】
0003173684.tif 000005
【図４】
0003173684.tif 000006
【図５】
0003173684.tif 000007
(57)【要約】      （修正有）【課題】構造が簡易で耐久性があり、かつ、視認性を向上させるためわずかな振動や風圧により容易に揺動するようにした標識体を提供する。【解決手段】軽量材料からなる円筒体や平板の外面に耐候性ある反射皮膜紙を被覆し、それらの表面や周縁に軽量の螺旋体を適宜接続して、螺旋体の一端を既存の硬質部材に結合具を介して取付け外界において揺動容易にして標識体とする。軽量材料からなる円筒体や平板の外面に耐候性ある反射皮膜紙を被覆して固定し、それらの表面や周縁に軽量の螺旋体を適宜接続してあり、螺旋体の一端を既存の硬質部材に結合具を介して取付け、戸外において揺動容易にしてある。とくに、視認を容易にするため、常時、この標識体を揺動させるため、原則として起立する螺旋体の上端に円筒体の下面や平板の下縁を固定するようにする。【選択図】図１
0003173697.tif 000002
【実用新案登録請求の範囲】
【請求項１】
軽量材料からなる円筒体や平板の外面に耐候性ある反射皮膜紙を被覆し、それらの表面や周縁に軽量の螺旋体を適宜接続して、螺旋体の一端を既存の硬質部材に結合具を介して取付け外界において揺動容易にしてある標識体。
【考案の詳細な説明】
【技術分野】
【０００１】
本考案は揺動容易な標識体に関する。
【背景技術】
【０００２】
従来、反射性の標識体として工事現場や交通標識などでは固定式のものが多く、車で移動中など見落とすことが多い。従来から光を光源に向けて再帰反射させる再帰反射シートがよく知られており、再帰反射性を利用して道路標識、工事標識等の標識類や看板が広く使用されている。なかでも、光透過性トップフィルムとベースフィルムと両フィルム間に間隙をの残したまま両フィルムを部分的に連結する連結壁よりなり、トップフィルムには再帰反射社性要素が全面にわたって均一に配置されている再帰反射シートは、トップフイルムとベースフイルム間隙間にそんざいする空気等の低屈折率気体の利用により優れた再帰反射性能が得られるためその使用量が拡大しつつある。しかしながら、これら再帰反射シートは、当然のことながら、光源から光を受けた場合のみ光を再帰反射して光源方向に対して優れた視認性を発揮するものであり、夜間等において光源がない場合は、その視認性を発揮することができず、また、光源があった場合でも、視認する場所が光源と大きく離れている場合は、視認性が著しく劣るなど、視認性は限られた条件下でしか得られないものであった。
【０００３】
このため、高い安全性や宣伝効果を得るため、従来型の再帰反射シートでは視認性が不充分であり、光源がなかったり、限定されている場合の視認性を持つ優れた再帰反射しーとが強く望まれている。要望に応えるものとして特許文献１に、下半球面に光反射層を有する再帰反射性透明球および透明固着層の背面に蓄光性発光性層を設け夜間等における視認性を向上させる方法が提案されている。また、特許文献２には光透過性トップフイルムとベースフイルムと、両フイルム間に間隙を残したまま両フイルムを部分的に連結する連結壁からなり、トップフイルムにはキューブコーナー型再帰反射性要素が前面にわたって均一に配置されている再帰反射シートにおいて連結壁中に夜光性物質が含有されている夜光再帰反射シートが紹介され関心を高めている。
【先行技術文献】
【特許文献】
【０００４】
【特許文献１】特開平５ー１７３００８号公報
【特許文献２】特開２００１ー２０２４１号公報
【考案の概要】
【考案が解決しようとする課題】
【０００５】
標識体として、簡易な構造からなり、低廉で耐久性のあるものを目標とする。
【課題を解決するための手段】
【０００６】
ここにおいて、本考案者は、再帰反射シートに傾注することなく、きわめて簡単、安価な方法により、昼間はもとより、夜間においても微光のもとで優れた視認性を有する反射シートを提供せんとして、以下の考案を提案する次第である。すなわち、本考案は軽量材料からなる円筒体や平板の外面に耐候性ある反射皮膜紙を被覆し、それらの表面や周縁に軽量の螺旋体を適宜接続して、螺旋体の一端を既存の硬質部材に結合具を介して取付け外界において揺動容易にしてある標識体であり、軽量材料からなる円筒体や平板の外面に耐候性ある反射皮膜紙を被覆して固定し、それらの表面や周縁に軽量の螺旋体を適宜接続してあり、螺旋体の一端を既存の硬質部材に結合具を介して取付け、戸外において揺動容易にしてある標識体である。とくに、視認を容易にするため、常時、この標識体を揺動させるため、原則として起立する螺旋体の上端に円筒体の下面や平板の下縁を固定するようにするが、螺旋体と円筒体や平板との結合位置はこれに限定されることがなく任意であり、本考案の標識体は僅かな振動や風圧により常時、任意に揺動するので、外部の多方向から認識されやすく、標識効果がきわめて高いので、交通案内や建築現場の保安などに利用されやすい。すなわち、ここにおいて本考案者は、軽量材質からなる円筒体や平板の外面に耐候性  ある任意標識の反射皮膜紙を被覆し、頂面に適宜軽量の螺旋体を付着しておき、当該螺旋体を任意の固定具を介して他の固定体に支持させて揺動可能にしてあり、わずかの振動や風圧により揺動容易にして、とくに円筒の使用では全方位に対する標識となることを期待するに至った。
【０００７】
なお、反射面を形成するために、市販の各種の蛍光反射板や蛍光反射紙を採用する。  円筒体や平板はプラスチック等を基材にして各種の形状を構成し、必要に応じ、文字等  の標式を導入する。スプリング類は揺動容易に構成し、端部の固定には各種の金具が対  応できる。
【考案の効果】
【０００８】
本考案の標識体は製作が容易で常時、揺動しているので、視認されやすい特徴がある。
【図面の簡単な説明】
【０００９】
【図１】実施例１により平板状の標識を設定してある外観図
【図２】実施例２により円筒状の標識を設定してある外観図ようにした標識の説明図
【考案を実施するための形態】
【００１０】
本考案で使用する円筒体や平板は適宜形状にして、軽量な材質を使用し、市販の反射紙を選択して貼り、必要な場合は文字や図柄等は導入し、視認しやすくする。
【実施例１】
【００１１】
両面に反射紙を貼付した平板状の標識を上方に支持するように螺旋体を連結し、螺旋体の他端は支持具により金属パイプに固定してあり、大きいので遠方からも見やすい。
【実施例２】
【００１２】
全面に反射紙を貼付した円筒状の標識を上方に支持するように螺旋体を連結し、螺旋体の他端は支持具により金属パイプに固定してあり、周囲の各方向から視認されやすい。
【産業上の利用可能性】
【００１３】
本考案により安価で標示効果のある標示体が得られるので、汎用されるものと思う。
【図１】
0003173697.tif 000003
【図２】
0003173697.tif 000004